(57)【要約】      （修正有）【課題】一枚のブランクから組み立てることができる二重カートンであって、内カートンと外カートンの間に別の商品が収納できる易開封性二重カートンを提供する。【解決手段】前板、天板、後板、底板、前記前板より狭幅の前下板、内天板、後板より狭幅の糊代片を順次連設した一枚のブランクを折り曲げ、前板と前下板とを貼り合わせ、内天板と糊代片を内側に巻き込んで糊代片と後板とを貼り合わせ、天板と内天板との間の間隙を有する形状とした外カートンと内カートンからなり、天板に並行する天板破断線を設け、前板に天板破断線に連続して前板破断線を辺縁まで設け、該前板破断線および天板破断線を引き裂くことにより、天板および前板の一部をそれぞれ開閉部分として外カートンの開口を可能とし、内天板に並行する内天板破断線を設け、該内天板破断線を引き裂くことにより、外カートンの開口後、内天板の一部を開閉部分として内カートンの開口を可能とした。【選択図】図１
2005306425.tif 000002
【特許請求の範囲】
【請求項１】
前板、天板、後板、底板、前記前板より狭い幅の前下板、内天板、前記後板より狭い幅の糊代片を順次連設してなる一枚のブランクを折り曲げ、前記前板と前記前下板とを貼り合わせ、前記内天板と前記糊代片を内側に巻き込んで前記糊代片と前記後板とを貼り合わせ、前記天板と前記内天板との間の間隙を有する形状とした外カートンと内カートンからなる二重カートンであり、
前記天板に並行する天板破断線を設け、前記前板に前記天板破断線に連続して前板破断線を辺縁まで設け、該前板破断線および前記天板破断線を引き裂くことにより、前記天板および前記前板の一部をそれぞれ開閉部分として前記外カートンの開口を可能とし、前記内天板に並行する内天板破断線を設け、該内天板破断線を引き裂くことにより、前記外カートンの開口後、前記内天板の一部を開閉部分として前記内カートンの開口を可能としたことを特徴とする易開封二重カートン。
【請求項２】
前記前板の辺縁中央に前記前板破断線の間隔を狭くして摘まみ部を設けたことを特徴とする請求項１に記載の易開封二重カートン。
【請求項３】
前記前下板に前記摘まみ部を差し込む切り込みを設けたことを特徴とする請求項２に記載の易開封二重カートン。
【発明の詳細な説明】
【技術分野】
【０００１】
本発明は、菓子類や食品などを収納するための易開封カートンに関し、詳しくは、一枚のブランクから組み立てることができる中が二重であり、かつ、それぞれに開閉部分を設け内容物を取り出しやすくした易開封二重カートンに関するものである。
【背景技術】
【０００２】
従来より、菓子類や食品などを収納し、内容物を取り出す開閉部分を設け、取り出し易くした形状の易開封カートンが用いられており、代表的なものとして、図６に示す如き前面から天面に渡る開閉部分を設けた横置きタイプのものが知られている。この易開封カートンＺは、前板１１の一部の摘み部１１ａを引っ張り、一対の破断線ｘ、ｘに沿って前板１１と天板１２を破断することにより、開閉部分Ｘを開けることで内容物を取り出すようになっている。また、カートンが二重となっている形状としては、仕切りパネルを中に巻き込んだ形状の巻き込みカートン、あるいは、中仕切りを中に挿入した形状等が一般に使用されている（例えば、特許文献１参照。）。
【特許文献１】実用新案登録第２５１９３７２号公報
【発明の開示】
【発明が解決しようとする課題】
【０００３】
しかしながら、二重カートンがトップオープン型で、かつ、外カートンを易開封とすると共に、内カートンも易開封とした形状のものは提案されていなかった。
【０００４】
本発明は、一枚のブランクから組み立てることができる外カートンと内カートンとからなる二重カートンであって、その目的とするところは、内カートンに商品を収納し、そして、内カートンと外カートンの間のスペースに別の商品が収納でき、かつ、それぞれが易開封性を有している易開封性二重カートンを提供することにある。
【課題を解決するための手段】
【０００５】
上記目的を達成するため、本発明の易開封二重カートンは、前板、天板、後板、底板、前記前板より狭い幅の前下板、内天板、前記後板より狭い幅の糊代片を順次連設してなる一枚のブランクを折り曲げ、前記前板と前記前下板とを貼り合わせ、前記内天板と前記糊代片を内側に巻き込んで前記糊代片と前記後板とを貼り合わせ、前記天板と前記内天板との間の間隙を有する形状とした外カートンと内カートンからなる二重カートンであり、前記天板に並行する天板破断線を設け、前記前板に前記天板破断線に連続して前板破断線を辺縁まで設け、該前板破断線および前記天板破断線を引き裂くことにより、前記天板および前記前板の一部をそれぞれ開閉部分として前記外カートンの開口を可能とし、前記内天板に並行する内天板破断線を設け、該内天板破断線を引き裂くことにより、前記外カートンの開口後、前記内天板の一部を開閉部分として前記内カートンの開口を可能としたことを特徴とする易開封二重カートンである。また、前記前板の辺縁中央に前記前板破断線の間隔を狭くして摘まみ部を設けたこと、および、前記前下板に前記摘まみ部を差し込む切り込みを設けたことを特徴とするものである。
【発明の効果】
【０００６】
本発明は、一枚のブランクから組み立てることができる外カートンと内カートンとからなる二重カートンであって、内カートンに商品を収納し、そして、内カートンと外カートンの間のスペースに別の商品が収納できるという特徴があり、かつ、外カートンが易開封性の機能を有している上、外カートンを開封後、内カートンにも易開封性の機能が付与されており、内カートンに収納された商品を容易に取り出すことができるという効果を持つものである。
【発明を実施するための最良の形態】
【０００７】
以下、本発明の実施の形態について図面を参照して説明する。
【０００８】
図１は、本発明の易開封二重カートンの一実施例を示す斜視図である。易開封二重カートン１は、外カートン２の中に、内カートン３が収まった形状であり、外カートン２は、図１−ａに示すように、前板１１、天板１２、後板１３、底板１４、両側板１５、１５からなる直方体のカートンであり、天板１２には、一対の並行する天板破断線ｐ、ｐが設けられ、前板１１には、天板破断線ｐ、ｐに連続して一対の前板破断線ｑ、ｑが辺縁まで設けられ、該前板破断線ｑ、ｑおよび天板破断線ｐ、ｐを引き裂くことにより、前板１１の一部の前板開閉部分Ｑおよび天板１２の一部の天板開閉部分Ｐを開口可能としている。また、前板１１の中央辺縁は、前板開閉部分Ｑが開封しやすいように前板破断線ｑ、ｑ間の幅を狭くして切り込みｑ１、ｑ１を入れる等をして摘まみ部１１ａとしている。
【０００９】
図１−ｂは、図１−ａの易開封二重カートン１の外カートン２の開閉部分を開けた状態を示す斜視図であり、前板１１の摘まみ部１１ａを摘んで開封し、前板１１の前板開閉部分Ｑおよび天板１２の天板開閉部分Ｐを開口した状態を示している。この外カートン２を開口することで内カートン３が表出する。外カートン２と内カートン３との間、すなわち、天板１２と天内板１６の間の間隙Ｓに、別の商品を収納することができる。この内カートン３の内天板１６にも一対の並行する内天板破断線ｒ、ｒが設けられ、内天板破断線ｒ、ｒを引き裂くことにより、内天板１６の一部の内天板開閉部分Ｒを開口可能としている。また、内天板１６の中央辺縁は、内天板開閉部分Ｒが開封しやすいように天内板破断線ｒ、ｒ間の幅を狭くして切り込みｒ１、ｒ１を入れる等をして摘まみ部１６ａとしている。
【００１０】
図２は、図１の易開封二重カートン１を組み立てるブランクを示す展開図であり、ブランク１０では、折れ線ａ、ｂ、ｃ、ｄ、ｅ、ｆを介して前板１１、天板１２、後板１３、底板１４、前下板１５、内天板１６、糊代片１７が連設され、前板１１の左右の辺には折れ線ｇ、ｇを介してそれぞれ折り込み片１８、１８が連設され、天板１２の左右の辺には折れ線ｈ、ｈを介してそれぞれ側板１９、１９が連設され、後板１３の左右の辺には折れ線ｉ、ｉを介してそれぞれ折り込み片２０、２０が連設され、そして、底板１４の左右の辺には折れ線ｊ、ｊを介してそれぞれ側下板２１、２１が連設されている。また、前下板１５の幅を前板１１の幅より狭くし、糊代片１７の幅を後板１３の幅より狭くしている。この前板１１と前下板１５の幅の差、および後板１３と糊代片１７の幅の差があることにより、易開封二重カートン１を組み立てた時に、天板１２と内天板１６との間に間隙Ｓを設けることができる。
【００１１】
また、折れ線ｆは、内天板開閉部分Ｒが糊代片１７から切り取りやすいように、ミシン目、リード罫、半切れ、半切れミシン目等とすることが好ましい。このようにすることによって、内天板開閉部分Ｒを糊代片１７から切り離し、商品５を取り出しやすくなる。
【００１２】
また、天板１２には、一対の天板破断線ｐ、ｐを設けられている。この一対の天板破断線ｐ、ｐにより囲まれる領域は天板開閉部分Ｐとなり、天板１２の一対の天板破断線ｐ、ｐが破断され開口される。この一対の天板破断線ｐ、ｐは必ずしも平行である必要はなく、傾斜した線であってもよい。また、天板破断線ｐは直線ではなく、曲線であってもよい。従って、天板開閉部分Ｐの形状は、四辺形、台形が基本であるが、種々の形状とすることができる。この一対の天板破断線ｐ、ｐは、破断しやすいように、Ｙ字状切れ目、Ｌ字状切れ目、ミシン目などで設けることが好ましい。
【００１３】
また、前板１１には、天板１２の天板破断線ｐ、ｐに連続して一対の前板破断線ｑ、ｑが設けられている。この一対の前板破断線ｑ、ｑにより囲まれる領域は前板開閉部分Ｑとなり、前板１１の一対の前板破断線ｑ、ｑが破断され開封される。また、この前板破断線ｑ、ｑは前板１１の辺縁では指で摘まみやすいように、間隔を狭くして切り込みｑ１、ｑ１を入れる等をして摘まみ部１１ａとしている。この摘まみ部１１ａを摘まみ、前板破断線ｑ、ｑを切り裂くことから開封を始めることができる。さらに、前下板１５には、摘まみ部１１ａに対応する位置に、前板１１の差し込み片１９ａを差し込むための切り込み１５ａが設けられている。
【００１４】
また、内天板１６には、一対の内天板破断線ｒ、ｒを設けられている。この一対の天板破断線ｒ、ｒにより囲まれる領域は内天板開閉部分Ｒとなり、内天板１６の一対の内天板破断線ｒ、ｒが破断され開口される。この一対の内天板破断線ｒ、ｒは、天板破断線ｐ、ｐと同様に、必ずしも平行である必要はなく、傾斜した線であってもよい。また、天板破断線ｒは直線ではなく、曲線であってもよい。従って、内天板開閉部分Ｒの形状は、四辺形、台形が基本であるが、種々の形状とすることができるが、開口しやすいように、天板開閉部分Ｐより小さな形状とすることが好ましい。この一対の天板破断線ｒ、ｒは、破断しやすいように、Ｙ字状切れ目、Ｌ字状切れ目、ミシン目などで設けることが好ましい。また、内天板１６の中央辺縁は、内天板開閉部分Ｒが開封しやすいように天内板破断線ｒ、ｒ間の幅を狭くして切り込みｒ１、ｒ１を入れる等をして摘まみ部１６ａとしている。
【００１５】
上記のブランク１０から本発明の易開封二重カートン１を組み立てるには、まず、図３−ａに示すように、折れ線ｅで内天板１６と糊代片１７を前下板１５側に折り返し、つづけて、図３−ｂに示すように、折れ線ｃで底板１４と前下板１５を折り返した内天板１６と糊代片１７と共に後板１３側に折り返す。この時、糊代片１７と後板１３とを貼り合わせる。つぎに、図３−ｃに示すように、前板１１を折れ線ａで天板１２側に折り返して前下板１５と前板１１とを部分的に貼り合わせて、図３−ｄに示すように、折り畳んだ状態とする。この場合、接着部分としては、前板１１の前板開閉部分Ｑ以外の部分で前下板１５と貼り合わせている。
【００１６】
ついで、このサック貼りして折り畳んだ状態のカートンを、図４−ａに示すように、実際に内容物を充填する工程で角筒状に起こした後、両方の折り込み片１８、２０を内側に折り曲げてから、内側板２１、側板１９の順にそれぞれ内側に折り曲げて互いに接着することにより一方の側面を閉鎖する。この状態で他方の側面開口から商品４、５を充填するが、内カートン３と、内天板１６と天板１２の間の間隙Ｓとに別々の商品を収納する。このように商品４、５を収納した後、図４−ｂに示すように、両方の折り込み片１９、２０を内側に折り曲げてから、内側板２１、側板１９の順にそれぞれ内側に折り曲げて互いに接着することにより他方の側面を閉鎖する。これにより図１に示す易開封二重カートン１が作成される。
【００１７】
本発明の易開封二重カートン１を開封するには、外カートン２において、従来の易開封カートンと同様、図５−ａに示すように、前板１１の摘み片１１ａを摘んで引っ張り上げ、そして、摘み部１１ａの横への前板破断線ｑ、ｑを引き裂くことから開封をはじめる。引き続いて天板１２を開封すると共に天板１２の天板開封部分Ｐが両側の天板破断線ｐ、ｐに沿って破られ、図５−ｂに示すように、外カートン２の天板開閉部分Ｐが開口された状態となる。この状態で、内カートン３と外カートン２との間の間隙Ｓに収納された商品４（本例ではカード）を取り出すことができる。このように商品４を取り出した後、内カートン３の内天板１６の摘み部１６ａを摘まんで引っ張り上げて、内天板破断線ｒ、ｒを引き裂いて、内天板開閉部分Ｒを開口することができ、内カートン２内に収納された商品５を取り出すことができる。
【００１８】
また、一旦開けた部分を再封する際には、前板１１の摘み部１１ａを前下板１５に設けた差し込み口１５ａに差し込んで係止することができる。本実施例は再封の方法に関する一つの例を示したに過ぎず、この形状に限定されるものではない。
【産業上の利用可能性】
【００１９】
具体的な用例としては、菓子、食品類、玩具類等を収納するカートン等があげられ、特に、おまけ付きカートン等には有効に利用することができる。
【図面の簡単な説明】
【００２０】
【図１】本発明の易開封二重カートンの一実施形態を示す斜視図である。
【図２】本発明の易開封二重カートンの一実施形態のブランクを示す展開図である。
【図３】本発明の易開封二重カートンの一実施形態を折り畳まれた状態に組み立てる過程を説明する概略図である。
【図４】本発明の易開封二重カートンの一実施形態を組み立てる過程を説明する概略図である。
【図５】本発明の易開封二重カートンの一実施形態を開封する方法を説明する図であるる。
【図６】従来の易開封カートンの一例を示す斜視図である。
【符号の説明】
【００２１】
１    易開封二重カートン
２    外カートン
３    内カートン
４    商品
５    商品
１０    ブランク
１１    前板
１１ａ  摘み部
１２    天板
１３    後板
１４    底板
１５    前下板
１５ａ  差し込み口
１６    内天板
１６ａ  摘み部
１７    糊代片
１８    折り込み片
１９    天板
２０    折込片
２１    内側板
ａ〜ｊ  折れ線
Ｚ    従来の易開封カートン
Ｘ    開閉部分（従来の）
ｘ    破断線（従来の）
Ｐ    天板開閉部分
ｐ    天板破断線
Ｑ    前板開閉部分
ｑ    前板破断線
ｑ１  切り込み
Ｒ    内天板開閉部分
ｒ    内天板破断線
ｒ１  切り込み
Ｓ    間隙
【図１】
2005306425.tif 000003
【図２】
2005306425.tif 000004
【図３】
2005306425.tif 000005
【図４】
2005306425.tif 000006
【図５】
2005306425.tif 000007
【図６】
2005306425.tif 000008